【手続補正書】
【提出日】平成16年10月27日(2004.10.27)
【手続補正１】
【補正対象書類名】明細書
【補正対象項目名】特許請求の範囲
【補正方法】変更
【補正の内容】
【特許請求の範囲】
【請求項１】
顧客を特定するためのポイントカードを各顧客に配布し、前記ポイントカードを併用して行われた取引の内容に応じた得点を併用されたポイントカードに対応付けて加算し、累積している得点に応じて所定のサービスを顧客に提供するポイントカード装置において、
遊技場に設置される遊技場用端末と商品を販売する商店であって前記遊技場に併設されるものに配置される商店用端末と、累積されている前記得点に応じて所定のサービスを顧客に提供するサービス提供手段とを備え、
前記遊技場用端末は、前記ポイントカードを併用して遊技に供される遊技媒体の貸し出しが行われた際にその貸出金額に応じた得点を併用されたポイントカードに対応付けて累積加算し、
前記商店用端末は、前記ポイントカードを併用して商品の購入が行われた際にその購入額に応じた得点を併用されたポイントカードに対応付けて累積加算し、
前記サービス提供手段は、指定されたポイントカードに対応付けて累積加算されている得点を前記サービスに還元する旨の指示を受けたとき、当該指定されたポイントカードで特定される顧客に前記所定のサービスを提供するとともに、提供したサービスに応じた点数を前記指定されたポイントカードに対応付けて累積加算されている得点から差し引くことを特徴とするポイントカード装置。
【請求項２】
顧客を特定するためのポイントカードを各顧客に配布し、前記ポイントカードを併用して行われた取引の内容に応じた得点を併用されたポイントカードに対応付けて加算し、累積している得点に応じて所定のサービスを顧客に提供するポイントカード装置において、
遊技場に設置される遊技場用端末と商品を販売する商店であって前記遊技場に併設されるものに配置される商店用端末と、累積されている前記得点に応じて所定のサービスを顧客に提供するサービス提供手段とを備え、
前記遊技場用端末は、前記ポイントカードを併用して遊技に供される遊技媒体の貸し出しが行われた際にその貸出金額に応じた遊技場得点を併用されたポイントカードに対応付けて累積加算し、
前記商店用端末は、前記ポイントカードを併用して商品の購入が行われた際にその購入額に応じた商店得点を併用されたポイントカードに対応付けて累積加算し、
前記サービス提供手段は、前記商店で商品を購入する際に併用されたポイントカードに対応付けて累積加算されている遊技場得点が予め定められた条件を満たすとき、購入商品の金額を所定の率で割り引きするとともに、前記併用されたポイントカードに対応付けて累積加算されている遊技場得点を予め定めた点数だけ差し引き、
前記サービス提供手段は、前記遊技場で遊技媒体の貸し出しを受ける際に併用されたポイントカードに対応付けて累積加算されている商店得点が予め定められた条件を満たすとき、所定数の遊技媒体を放出するとともに、前記併用されたポイントカードに対応付けて累積加算されている商店得点を予め定めた点数だけ差し引くことを特徴とするポイントカード装置。
【請求項３】
顧客を特定するためのポイントカードを各顧客に配布し、前記ポイントカードを併用して行われた取引の内容に応じた得点を併用されたポイントカードに対応付けて加算し、累積している得点の値に応じて所定のサービスを顧客に提供するポイントカード装置において、
遊技場に設置される遊技場用端末と商品を販売する商店であって前記遊技場に併設されるものに配置される商店用端末と、累積されている前記得点に応じて所定のサービスを顧客に提供するサービス提供手段とを備え、
前記遊技場用端末は、前記ポイントカードを併用して遊技に供される遊技媒体の貸し出しが行われた際にその貸出金額に応じた遊技場得点を併用されたポイントカードに対応付けて累積加算し、
前記商店用端末は、前記ポイントカードを併用して商品の購入が行われた際にその購入額に応じた商店得点を併用されたポイントカードに対応付けて累積加算し、
前記サービス提供手段は、前記商店で商品を購入する際に併用されたポイントカードに対応付けて累積加算されている遊技場得点が予め定められた条件を満たすとき、購入商品の金額を所定の率で割り引きするとともに、前記併用されたポイントカードに対応付けて累積加算されている遊技場得点を予め定めた点数だけ差し引き、
前記サービス提供手段は、前記遊技場で遊技媒体の貸し出しを受ける際に併用されたポイントカードに対応付けて累積加算されている商店得点が予め定められた条件を満たすとき、所定数の遊技媒体を放出するとともに、前記併用されたポイントカードに対応付けて累積加算されている商店得点を予め定めた点数だけ差し引き、
前記サービス提供手段は、指定されたポイントカードに対応付けて累積加算されている前記遊技場得点と前記商店得点との合計が予め定めた条件を満たすとき、予め定めたサービスを提供するとともに、所定の点数を前記遊技場得点と前記商店得点のいずれか一方あるいは双方から差し引くことを特徴とするポイントカード装置。
【請求項４】
前記ポイントカードは記録媒体として機能し、前記得点を当該ポイントカードに記録することを特徴とする請求項１、２または３記載のポイントカード装置。
【請求項５】
顧客に配られた前記ポイントカードのそれぞれについて前記得点を記憶し管理する顧客管理装置を設けたことを特徴とする請求項１、２、３または４記載のポイントカード装置。
【請求項６】
前記各ポイントカードにはそれぞれ固有の識別番号が記録されており、前記顧客管理装置は、前記識別番号に対応付けて前記得点を記録し管理することを特徴とする請求項５記載のポイントカード装置。
【請求項７】
前記顧客管理装置は、前記商店得点と前記遊技場得点とを個別に記録して管理するとともに、各得点を視認可能に出力する機能を有することを特徴とする請求項６記載のポイントカード装置。
【請求項８】
前記商店と前記遊技場との境界部にカウンターを設け、当該カウンターに前記商店用端末および前記サービス提供手段の機能を果たすＰＯＳ装置を配置し、前記商店に陳列されている商品を前記遊技場で遊技を行う遊技者の獲得した遊技媒体と交換される景品として設定したことを特徴とする請求項１、２、３、４、５、６または７記載のポイントカード装置。
【請求項９】
前記遊技場で使用される遊技媒体を貸し出す遊技媒体貸出機に前記ポイントカードの読み取り部を設け、当該遊技媒体貸出機に前記遊技場用端末の機能と前記サービス提供手段の有する機能のうち得点に応じて遊技媒体を放出しその分得点を減算する機能とを具備させたことを特徴とする請求項１、２、３、４、５、６、７または８記載のポイントカード装置。
【請求項１０】
前記遊技場で使用される遊技媒体を貸し出す遊技媒体貸出機に前記ポイントカードの読み取り部と表示部とを設け、当該遊技媒体貸出機に前記遊技場用端末の機能と前記サービス提供手段の有する機能のうち得点に応じて遊技媒体を放出しその分得点を減算する機能とを具備させるとともに、少なくとも前記読み取り部に挿入された前記ポイントカードに対応付けて累積されている得点と当該得点によって放出可能な遊技媒体の個数とを前記表示部に表示させることを特徴とする請求項１、２、３、４、５、６、７、８または９記載のポイントカード装置。
【請求項１１】
少なくとも前記商店と前記遊技場のうちのいずれか一方に配置される情報表示端末を備え、前記情報表示端末は前記ポイントカードの読み取り部と表示部とを有し、前記読み取り部に挿入されたポイントカードに対応付けて累積加算されている得点と当該得点によって受けることのできるサービス内容とを前記表示部に表示することを特徴とする請求項１、２、３、４、５、６、７、８、９または１０記載のポイントカード装置。
【手続補正２】
【補正対象書類名】明細書
【補正対象項目名】０００７
【補正方法】変更
【補正の内容】
【０００７】
【課題を解決するための手段】
かかる目的を達成するための本発明の要旨とするところは、次の各項の発明に存する。
［１］顧客を特定するためのポイントカードを各顧客に配布し、前記ポイントカードを併用して行われた取引の内容に応じた得点を併用されたポイントカードに対応付けて加算し、累積している得点に応じて所定のサービスを顧客に提供するためのポイントカード装置において、
遊技場（１０）に設置される遊技場用端末（２００、６００）と商品を販売する商店（２０）であって前記遊技場（１０）に併設されるものに配置される商店用端末（３００、６００）と、累積されている前記得点に応じて所定のサービスを顧客に提供するサービス提供手段（２００、３００）とを備え、
前記遊技場用端末（２００、６００）は、前記ポイントカードを併用して遊技に供される遊技媒体の貸し出しが行われた際にその貸出金額に応じた得点を併用されたポイントカードに対応付けて累積加算し、
前記商店用端末（３００、６００）は、前記ポイントカードを併用して商品の購入が行われた際にその購入額に応じた得点を併用されたポイントカードに対応付けて累積加算し、
前記サービス提供手段（２００、３００）は、指定されたポイントカードに対応付けて累積加算されている得点を前記サービスに還元する旨の指示を受けたとき、当該指定されたポイントカードで特定される顧客に前記所定のサービスを提供するとともに、提供したサービスに応じた点数を前記指定されたポイントカードに対応付けて累積加算されている得点から差し引くことを特徴とするポイントカード装置。
【手続補正３】
【補正対象書類名】明細書
【補正対象項目名】０００８
【補正方法】変更
【補正の内容】
【０００８】
［２］顧客を特定するためのポイントカードを各顧客に配布し、前記ポイントカードを併用して行われた取引の内容に応じた得点を併用されたポイントカードに対応付けて加算し、累積している得点に応じて所定のサービスを顧客に提供するためのポイントカード装置において、
遊技場（１０）に設置される遊技場用端末（２００、６００）と商品を販売する商店（２０）であって前記遊技場（１０）に併設されるものに配置される商店用端末（３００、６００）と、累積されている前記得点に応じて所定のサービスを顧客に提供するサービス提供手段（２００、３００）とを備え、
前記遊技場用端末（２００、６００）は、前記ポイントカードを併用して遊技に供される遊技媒体の貸し出しが行われた際にその貸出金額に応じた遊技場得点を併用されたポイントカードに対応付けて累積加算し、
前記商店用端末（３００、６００）は、前記ポイントカードを併用して商品の購入が行われた際にその購入額に応じた商店得点を併用されたポイントカードに対応付けて累積加算し、
前記サービス提供手段（２００、３００）は、前記商店（２０）で商品を購入する際に併用されたポイントカードに対応付けて累積加算されている遊技場得点が予め定められた条件を満たすとき、購入商品の金額を所定の率で割り引きするとともに、前記併用されたポイントカードに対応付けて累積加算されている遊技場得点を予め定めた点数だけ差し引き、
前記サービス提供手段（２００、３００）は、前記遊技場（１０）で遊技媒体の貸し出しを受ける際に併用されたポイントカードに対応付けて累積加算されている商店得点が予め定められた条件を満たすとき、所定数の遊技媒体を放出するとともに、前記併用されたポイントカードに対応付けて累積加算されている商店得点を予め定めた点数だけ差し引くことを特徴とするポイントカード装置。
【手続補正４】
【補正対象書類名】明細書
【補正対象項目名】０００９
【補正方法】変更
【補正の内容】
【０００９】
［３］顧客を特定するためのポイントカードを各顧客に配布し、前記ポイントカードを併用して行われた取引の内容に応じた得点を併用されたポイントカードに対応付けて加算し、累積している得点の値に応じて所定のサービスを顧客に提供するためのポイントカード装置において、
遊技場（１０）に設置される遊技場用端末（２００、６００）と商品を販売する商店（２０）であって前記遊技場（１０）に併設されるものに配置される商店用端末（３００、６００）と、累積されている前記得点に応じて所定のサービスを顧客に提供するサービス提供手段（２００、３００）とを備え、
前記遊技場用端末（２００、６００）は、前記ポイントカードを併用して遊技に供される遊技媒体の貸し出しが行われた際にその貸出金額に応じた遊技場得点を併用されたポイントカードに対応付けて累積加算し、
前記商店用端末（３００、６００）は、前記ポイントカードを併用して商品の購入が行われた際にその購入額に応じた商店得点を併用されたポイントカードに対応付けて累積加算し、
前記サービス提供手段（２００、３００）は、前記商店（２０）で商品を購入する際に併用されたポイントカードに対応付けて累積加算されている遊技場得点が予め定められた条件を満たすとき、購入商品の金額を所定の率で割り引きするとともに、前記併用されたポイントカードに対応付けて累積加算されている遊技場得点を予め定めた点数だけ差し引き、
前記サービス提供手段（２００、３００）は、前記遊技場（１０）で遊技媒体の貸し出しを受ける際に併用されたポイントカードに対応付けて累積加算されている商店得点が予め定められた条件を満たすとき、所定数の遊技媒体を放出するとともに、前記併用されたポイントカードに対応付けて累積加算されている商店得点を予め定めた点数だけ差し引き、
前記サービス提供手段（２００、３００）は、指定されたポイントカードに対応付けて累積加算されている前記遊技場得点と前記商店得点との合計が予め定めた条件を満たすとき、予め定めたサービスを提供するとともに、所定の点数を前記遊技場得点と前記商店得点のいずれか一方あるいは双方から差し引くことを特徴とするポイントカード装置。
【手続補正５】
【補正対象書類名】明細書
【補正対象項目名】００１８
【補正方法】変更
【補正の内容】
【００１８】
前記本発明は次のように作用する。
遊技場用端末（２００、６００）は、ポイントカードを併用して遊技に供される遊技媒体の貸し出しが行われた際にその貸出金額に応じた得点を、併用されたポイントカードに対応付けて累積加算する。商店用端末（３００、６００）は、ポイントカードを併用して商品の購入が行われた際にその購入額に応じた得点を、併用されたポイントカードに対応付けて累積加算する。たとえばポイントカード自体に磁気などによる記録領域を設け、当該箇所に得点を累積加算して登録する。
【手続補正６】
【補正対象書類名】明細書
【補正対象項目名】００２１
【補正方法】変更
【補正の内容】
【００２１】
また遊技場（１０）で遊技媒体の貸し出しを受けた場合の得点を遊技場得点とし、併設された商店（２０）で商品を購入した際の得点を商店得点として、それぞれ個別に累積加算する。サービス提供手段（２００、３００）は、商店（２０）で商品を購入する際に併用されたポイントカードに対応する遊技場得点が予め定められた条件を満たすとき（たとえば一定値以上のとき）、購入商品の金額を所定の率で割り引きし、累積加算されている遊技場得点から予め定めた点数を差し引く。
【手続補正７】
【補正対象書類名】明細書
【補正対象項目名】００２２
【補正方法】変更
【補正の内容】
【００２２】
一方、遊技場（１０）で遊技媒体の貸し出しを受ける際に併用されたポイントカードに対応する商店得点が予め定められた条件を満たすとき、所定数の遊技媒体を放出するとともに、併用されたポイントカードに対応付けて累積加算されている商店得点を予め定めた点数だけ差し引く。
【手続補正８】
【補正対象書類名】明細書
【補正対象項目名】００２３
【補正方法】変更
【補正の内容】
【００２３】
このように遊技場（１０）で遊技媒体の貸し出しを受けることで付与された遊技場得点を、併設されている商店（２０）で商品を購入の際に利用でき、また商店（２０）で商品を購入した際に付与された商店得点を遊技場（１０）で遊技をする際に利用できる。その結果、商店（２０）に買い物に来た顧客は遊技を行いやすくなり、遊技場（１０）に遊技をしに来た顧客は商店（２０）で買い物を行いやすくなり、商店（２０）と遊技場（１０）の双方の売上げ向上に貢献することができる。また各顧客は遊技場（１０）と併設された商店（２０）の双方を利用するようになるので、商店（２０）の顧客から新規な遊技客を開拓することができる。
【手続補正９】
【補正対象書類名】明細書
【補正対象項目名】００３０
【補正方法】変更
【補正の内容】
【００３０】
遊技場（１０）で使用される遊技媒体を貸し出す遊技媒体貸出機（２００）にポイントカードの読み取り部（２０９、２１３）を設け、当該遊技媒体貸出機（２００）に遊技場用端末の機能を具備させる。たとえば、各遊技機の隣りにそれぞれ遊技媒体貸出機（２００）を設置すれば、ポイントカードを併用した遊技媒体の貸し出しが行われやすくなり、遊技者によるポイントカードの利用を促進することができる。
【手続補正１０】
【補正対象書類名】明細書
【補正対象項目名】００４０
【補正方法】変更
【補正の内容】
【００４０】
図３は、ＰＯＳ装置３００を示している。ＰＯＳ装置３００は、表示部３１１および操作部３１２を備えたＰＯＳ装置本体部３１０と、コンビニエンスストア２０で客が選択した商品に付されている商品データ及び遊技場１０で獲得したパチンコ玉数が記録されているレシートを読取るスキャナ３３０とから構成されている。またＰＯＳ装置本体部３１０には、所定のＩ／Ｆ（インターフェイス）を介して貯玉カードリーダー３４０が接続されている。貯玉カードリーダー３４０は、顧客が獲得した遊技媒体（以下パチンコ玉と称す。）に関する情報等を認識するための貯玉カードを挿入し排出するための貯玉カード挿排口３４１を有している。
【手続補正１１】
【補正対象書類名】明細書
【補正対象項目名】００４７
【補正方法】変更
【補正の内容】
【００４７】
表示部２０５には、ポイントカードを挿入した際に、当該カードから認識することができるコンビニポイント数及び遊技場ポイント数等が表示されると共に、遊技媒体計数器２５０で計数された獲得パチンコ玉数等を表示するように構成されている。なお、商店得点としてのコンビニポイントは、コンビニエンスストア２０で商品を購入した際に、その購入額等に応じて付与され累積加算される得点である。また遊技場得点としての遊技場ポイントは、遊技媒体貸出装置２００等でパチンコ玉の貸し出しを受けた際に、その貸出金額に応じて付与されて累積加算される得点である。
【手続補正１２】
【補正対象書類名】明細書
【補正対象項目名】００４８
【補正方法】変更
【補正の内容】
【００４８】
リモコン受信部２０１は、従業員からのリモコン操作として、遊技を一旦中断する休憩信号、大当たり遊技時に連続遊技を行うことができるか否かの情報等を受信し、遊技媒体貸出装置２００及び遊技媒体計数器２５０を制御するように構成されている。また、各種操作部２０６は、一旦計数されたパチンコ玉を再度遊技に使用するための戻し玉ボタン、遊技を終了する精算ボタン、貯玉をリプレイするための暗証番号入力部、コンビニポイントを使用してパチンコ玉の貸出を受けるための貸出ボタン等で構成されている。
【手続補正１３】
【補正対象書類名】明細書
【補正対象項目名】００５０
【補正方法】変更
【補正の内容】
【００５０】
玉放出部２１４は、投入された金額等に応じて遊技媒体であるパチンコ玉をノズル２０７から払い出す機能を有し、玉放出制御部２１５は、放出するパチンコ玉の個数等を制御する回路部分である。Ｉ／Ｆ２１６は台コントローラ４１２との間で、またＩ／Ｆ２１７は、遊技媒体計数器２５０との間でそれぞれ各種のデータを入出力するための入出力回路である。
【手続補正１４】
【補正対象書類名】明細書
【補正対象項目名】００５１
【補正方法】変更
【補正の内容】
【００５１】
遊技媒体計数器２５０は、レシート発券手段２５２のほか、玉投入口２５１から投入されたパチンコ玉の個数を計数する計数手段２５３と、遊技媒体貸出装置２００との間で各種のデータを入出力するためのＩ／Ｆ２５４とを備えている。
【手続補正１５】
【補正対象書類名】明細書
【補正対象項目名】００７１
【補正方法】変更
【補正の内容】
【００７１】
また、貸出ポイントが無い場合（ステップＳ１００６；Ｎ）及び貸出ポイントを使用しない場合には（ステップＳ１００７；Ｎ）、投入された現金（ステップＳ１００８）の金額を貸出金額（図１６の遊・貸出金額の欄６３３）に加算し（ステップＳ１０１２）、貸出金額が所定金額以上あるか否かを判別し（ステップＳ１０１３）、所定金額未満の場合は（ステップＳ１０１３；Ｎ）、投入金額分のパチンコ玉が貸出され（ステップＳ１０１５）、所定金額以上の場合は（ステップＳ１０１３；Ｙ）、遊技場ポイント数が加算されるとともに（ステップＳ１０１４）、投入金額分のパチンコ玉が貸出される（ステップＳ１０１５）。
【手続補正１６】
【補正対象書類名】明細書
【補正対象項目名】００７２
【補正方法】変更
【補正の内容】
【００７２】
この貸出されたパチンコ玉を使用して遊技が開始される（ステップＳ１０１１）。遊技中は、パチンコ玉があるか否かを判別し（ステップＳ１０１６）、パチンコ玉がある場合は（ステップＳ１０１６；Ｙ）遊技中を継続し、パチンコ球がない場合は（ステップＳ１０１６；Ｎ）、遊技を終了するか否かの判別に移る（ステップＳ１０１７）。遊技が終了される場合は（ステップＳ１０１７；Ｙ）、カードが排出されて（ステップＳ１０１８）遊技が終了し、遊技を終了しない場合は（ステップＳ１０１７；Ｎ）、貸出ポイントが有るか否かの判別に戻る。
【手続補正１７】
【補正対象書類名】明細書
【補正対象項目名】００７３
【補正方法】変更
【補正の内容】
【００７３】
このように、遊技場１０でパチンコ玉の貸し出しを受けた場合には、その分、遊技場ポイントが累積加算されるとともに、コンビニポイントを利用してパチンコ玉の貸し出しを受けることができる。
【手続補正１８】
【補正対象書類名】明細書
【補正対象項目名】００８５
【補正方法】変更
【補正の内容】
【００８５】
また遊技場１０でパチンコ玉の貸し出しを受けた場合のポイントを遊技場ポイントとし、併設されたコンビニエンスストア２０で商品を購入した際のポイントをコンビニポイントとして、それぞれ個別にポイント数を累積加算し管理するようにしたので、複合店の経営者は、遊技場１０とコンビニエンスストア２０の利用状況を各顧客ごとに把握でき、遊技場１０とコンビニエンスストア２０との営業方針を決める手助けとして有効利用することができる。また各顧客ごとに遊技場１０とコンビニエンスストア２０の利用状況を個別に把握できるので、それぞれの顧客の特性に応じたきめの細かいサービスを展開することも可能になる。
【手続補正１９】
【補正対象書類名】明細書
【補正対象項目名】００８６
【補正方法】変更
【補正の内容】
【００８６】
さらに遊技場１０でパチンコ玉の貸し出しを受けることで付与された遊技場ポイントを併設するコンビニエンスストア２０で商品購入の際に利用でき、またコンビニエンスストア２０で商品を購入した際に付与されたコンビニポイントを利用して遊技場１０でパチンコ玉の貸出しを受けることができるので、ポイント制度をコンビニエンスストア２０と遊技場１０の双方の売上げ向上に役立てることができる。すなわち、コンビニエンスストア２０に買い物に来た顧客は遊技を行いやすくなり、遊技場１０に遊技をしに来た顧客は商店で買い物を行いやすくなる。また各顧客は遊技場１０とコンビニエンスストア２０の双方を利用するようになるので、コンビニエンスストア２０の顧客から新規な遊技客を開拓することもできる。
【手続補正２０】
【補正対象書類名】明細書
【補正対象項目名】００８９
【補正方法】変更
【補正の内容】
【００８９】
遊技場１０とコンビニエンスストア２０との双方からアクセスできる境界部（景品交換所３０）に、ＰＯＳ装置３００を設けたので、遊技場１０側とコンビニエンスストア２０側で１つのＰＯＳ装置３００を共通に利用することができる。また、コンビニエンスストア２０に陳列されている商品を遊技者の獲得したパチンコ玉と交換される景品として利用することで、景品倉庫を別途設ける必要が無くなり、複合店であることの利点をより一層有効活用することができる。
【手続補正２１】
【補正対象書類名】明細書
【補正対象項目名】００９０
【補正方法】変更
【補正の内容】
【００９０】
このほか、各パチンコ機１００の隣に設置された遊技媒体貸出装置２００にポイントカードの読み取り部２０９や表示部２０５を設け、ポイントの加減算を行わせるようにしたので、ポイントカードを併用したパチンコ玉の貸し出しが行いやすくなり、遊技者によるポイントカードの利用を促進することができる。
【手続補正２２】
【補正対象書類名】明細書
【補正対象項目名】００９１
【補正方法】変更
【補正の内容】
【００９１】
さらに、遊技媒体貸出装置２００の表示部２０５に、コンビニポイント数、遊技場ポイント数およびコンビニポイント数によって放出可能なパチンコ玉の個数が表示されるので、遊技客は遊技を行いながら、付与されるポイント数を確認することができ、安心して遊技場ポイントを溜める喜びを味わうことができる。
【手続補正２３】
【補正対象書類名】明細書
【補正対象項目名】００９４
【補正方法】変更
【補正の内容】
【００９４】
さらに、遊技場１０に自動換金機（顧客が獲得したパチンコ玉から自動的に現金を放出する機械）を設け、且つコンビニエンスストア２０には自動販売機を設けることにより景品交換所３０をなくし、無人化するようにしてもよい。この場合は、コンビニエンスストア２０に設置されている自動販売機にポイントカードリーダ及び演算手段を設け、ポイントカードを挿入することによりコンビニポイント数及び遊技場ポイント数、総ポイント数を演算表示し、顧客の操作により割引処理をするようになり、人件費の節約になるため利益向上につながる。
【手続補正２４】
【補正対象書類名】明細書
【補正対象項目名】００９８
【補正方法】変更
【補正の内容】
【００９８】
上述の実施の形態では、遊技機としてパチンコ機を用いたが、これに限定されるものではなく、例えば、スロットマシン等のコイン遊技機であってもよい。また、遊技媒体は、パチンコ機で利用するパチンコ玉であったが、スロットマシンなどで使用されるメダル等であってもよい。
【手続補正２５】
【補正対象書類名】明細書
【補正対象項目名】０１０１
【補正方法】変更
【補正の内容】
【０１０１】
また遊技場で遊技媒体の貸し出しを受けた場合の得点を遊技場得点とし、併設された商店で商品の購入が行われた際の得点を商店得点として、それぞれ個別に得点を管理するようにしたので、複合店の経営者は、遊技場と商店との利用状況をそれぞれ個別に把握でき、複合店としての営業方針を決める手助けとして有効利用することができる。